(57)【要約】【課題】  切損や折損を招くことなく折曲片を直角に保持するその方法及び構造を提供する。【解決手段】  折曲片２を折曲する折目ａの所望箇所を中断して基板１と折曲片２との相互間において、一方側から折目ａの延長線を跨いで基板１の厚みよりも少なくとも小さな延出量をもって他方側に延出する掛止突片部ｂを設け、該基板１側から延出される掛止突片部ｂは、折曲片２の折曲げ時に折曲片２から分離可能に、また折曲片２側から延出される掛止突片部は、同折曲片２の折曲げ時に基板１から分離可能に各々構成して、折曲片２の折曲時に基板１側から延出される前記掛止突片部ｂの延出分離端面ｂ’近傍の面ｂ”を折曲片２側の分離端面２’に掛止させ、折曲片２側から延出される前記掛止突片部の延出分離端面近傍の面を基板１側の分離端面に掛止させる。【選択図】  図４
2005138881.tif 000002
【特許請求の範囲】
【請求項１】
基板（１）に折目（ａ）で折曲可能に設けられた折曲片（２）を基板（１）に対して直角に折り曲げた状態に保持する折曲片の折り曲げ角度保持方法であって、基板（１）に折目（ａ）を介して折曲可能な折曲片（２）を設け、その折目（ａ）の所望箇所を中断して基板（１）と折曲片（２）との相互間において、一方側から折目（ａ）の延長線（ａ’）を跨いで基板（１）の厚みよりも少なくとも小さな延出量（Ｌ）をもって他方側に延出する掛止突片部（ｂ）を設け、該基板（１）側から延出される掛止突片部（ｂ）は、折曲片（２）の折曲げ時に折曲片（２）から分離可能に、また折曲片（２）側から延出される掛止突片部（ｂ）は、同折曲片（２）の折曲げ時に基板（１）から分離可能に各々構成し、前記折目（ａ）から折曲片（２）を折曲すると同時に基板（１）側から延出される前記掛止突片部（ｂ）の延出分離端面（ｂ’）近傍の面（ｂ”）を折曲片（２）側の分離端面（２’）に掛止させ、また折目（ａ）から折曲片（２）を折曲すると同時に折曲片（２）側から延出される前記掛止突片部（ｂ）の延出分離端面（ｂ’）近傍の面（ｂ”）を基板（１）側の分離端面（１’）に掛止させることを特徴とする折曲片の折り曲げ角度保持方法。
【請求項２】
基板（１）に折目（ａ）で折曲可能に設けられた折曲片（２）を基板（１）に対して直角に折り曲げた状態に保持する折曲片の折り曲げ角度保持構造であって、折目（ａ）で折曲片（２）を折曲可能に有する基板（１）と、その折目（ａ）の所望箇所を中断して基板（１）と折曲片（２）との相互間において、一方側から折目（ａ）の延長線（ａ’）を跨いで少なくとも基板（１）の厚みよりも少なくとも小さい延出量（Ｌ）をもって他方側に延出するように切込形成される掛止突片部（ｂ）とを備えていることを特徴とする折曲片の折り曲げ角度保持構造。
【請求項３】
基板（１）に折目（ａ）で折曲可能に設けられた折曲片（２）を基板（１）に対して直角に折り曲げた状態に保持する折曲片の折り曲げ角度構造であって、折目（ａ）から折曲片（２）を折曲可能に有する基板（１）と、その折目（ａ）の所望箇所を中断して基板（１）と折曲片（２）との相互間において、一方側から折目（ａ）の延長線（ａ’）を跨いで少なくとも基板（１）の厚みよりも小さい延出量（Ｌ）をもって他方側に延出するように切込形成される掛止突片部（ｂ）とを備え、前記基板（１）側から延出される前記掛止突片部（ｂ）の延出分離端面（ｂ’）の輪郭を、前記折目（ａ）から折曲されるその折曲片（２）側の分離端面（２’）に掛止する形状に、また前記折曲片（２）側から延出される前記掛止突片部の延出分離端面の輪郭を、折曲片（２）の折曲げ時に前記基板（１）側の分離端面に掛止する形状にしていることを特徴とする折曲片の折り曲げ角度保持構造。
【請求項４】
前記掛止突片部（ｂ）の前記延長線（ａ’）からの延出量（Ｌ）を基板（１）厚の１／３〜１／２の寸法にしていることを特徴とする請求項２または３記載の折曲片の折り曲げ角度保持構造。
【発明の詳細な説明】
【技術分野】
【０００１】
本発明は、折曲片の折り曲げ角度保持方法及びその折り曲げ角度保持構造、更に詳しくは、例えば中仕切り板から折曲形成される仕切片（折曲片）、函体の開閉部に設けられたフラップ（折曲片）等のように、所謂対象板部（基板）から直角に折曲されるその折曲片をその直角状態に保持する角度保持方法及びその角度保持構造に関するものである。
【背景技術】
【０００２】
従来、段ボール板、合成樹脂板等からなる対象板部から先端を遊端とする折曲片を直角に折曲形成するケースが少なくない。
例えば、中仕切り板から折曲形成される仕切片、函体の開閉部に設けた開閉用のフラップ等、様々な箇所で対象板部に対して直角な折曲片は存在する。
このような折曲片は、直角に折曲したその折目（押罫やミシン罫）部分に生じる戻り力で直角に保持されず、実際的には傾斜状に戻ってしまう場合が殆どである。
このように傾斜状になると、仕切片間に収容される収容物、例えば果実の箱詰め作業を面倒にしたり、函体の開閉部を被蓋する蓋体がそのフラップで持ち上げられて、オートケーサーでの機械的な梱包を不能にする問題があった。
そこで、例えば前記フラップ等においては、フラップに突片を、函本体側にその突片が掛止する掛止孔を各々形成して、突片を掛止孔に掛止してフラップを直角に保持する技術も提案されるが、その突片が出っ張って、取扱い時にその突片が切損したり、折損してその機能を発揮できなくなる虞れがあり、斯様な切損、折損等を招くことなく折曲片を直角に保持するに際して工夫を要する。
尚、前記する折曲片の折り曲げ角度保持方法及びその折り曲げ角度保持構造に関する先行技術文献は、出願人としては不知である。
【発明の開示】
【発明が解決しようとする課題】
【０００３】
本発明は上記従来事情に鑑みてなされたもので、その目的とする処は、切損や折損を招くことなく折曲片を直角に保持するその方法及び構造を提供することにある。
【課題を解決するための手段】
【０００４】
前記課題を解決するために講じた技術的手段は、方法においては、基板（１）に折目（ａ）で折曲可能に設けられた折曲片（２）を基板（１）に対して直角に折り曲げた状態に保持する折曲片の折り曲げ角度保持方法であって、基板（１）に折目（ａ）を介して折曲可能な折曲片（２）を設け、その折目（ａ）の所望箇所を中断して基板（１）と折曲片（２）との相互間において、一方側から折目（ａ）の延長線（ａ’）を跨いで基板（１）の厚みよりも少なくとも小さな延出量（Ｌ）をもって他方側に延出する掛止突片部（ｂ）を設け、該基板（１）側から延出される掛止突片部（ｂ）は、折曲片（２）の折曲げ時に折曲片（２）から分離可能に、また折曲片（２）側から延出される掛止突片部（ｂ）は、同折曲片（２）の折曲げ時に基板（１）から分離可能に各々構成し、前記折目（ａ）から折曲片（２）を折曲すると同時に基板（１）側から延出される前記掛止突片部（ｂ）の延出分離端面（ｂ’）近傍の面（ｂ”）を折曲片（２）側の分離端面（２’）に掛止させ、また折目（ａ）から折曲片（２）を折曲すると同時に折曲片（２）側から延出される前記掛止突片部（ｂ）の延出分離端面（ｂ’）近傍の面（ｂ”）を基板（１）側の分離端面（１’）に掛止させることを特徴とする折曲片の折り曲げ角度保持方法である（請求項１）。
【０００５】
上記手段によれば、図１や図５に示すように、折曲片（２）の折目（ａ）の所望箇所を中断して基板（１）と折曲片（２）との相互間において、一方側から折目（ａ）の延長線（ａ’）を跨いで他方側に延出する掛止突片部（ｂ）を設け、該基板（１）側から延出される掛止突片部（ｂ）は、折曲片（２）の折曲げ時に折曲片（２）から分離可能に、また折曲片（２）側から延出される掛止突片部（ｂ）は、同折曲片（２）の折曲げ時に基板（１）から分離可能に各々構成されている。
そのため、掛止突片部（ｂ）が図１や図５に示すように基板（１）側から延出されている場合、図４、図７に示すように折曲片（２）側の分離端面（２’）が掛止突片部（ｂ）の延出分離端面（ｂ’）と干渉し合いながらその延出分離端面（ｂ’）を乗り越えて、自動的にその折曲片（２）側の分離端面（２’）が掛止突片部（ｂ）の前記延出分離端面（ｂ’）近傍の面（ｂ”）を押し潰して、その反発で掛止し、また掛止突片部（ｂ）が図５に示すように折曲片（２）側から延出されている場合、図８に示すように折曲片（２）を直角に折り曲げると、自動的に折曲片（２）側から延出される掛止突片部（ｂ）の延出分離端面（ｂ’）が基板（１）側の分離端面（１’）と干渉し合いながらその分離端面（１’）を乗り越えて、その分離端面（１’）で掛止突片部（ｂ）の延出分離端面（ｂ’）近傍の面（ｂ”）が押し潰されて、その反発で掛止する。
前記掛止は掛止突片部の基板（１）と折曲片（２）との相互間において一方側から他方側に折目（ａ）の延長線（ａ’）を跨いで基板（１）の厚みよりも少なくとも小さな延出量（Ｌ）をもって延出する掛止突片部（ｂ）のその延出量（Ｌ）と基板（１）厚との寸法差分の反発力で行なわれて、その掛止力の総和が折目から折曲成形される折曲片の戻り力に抗して折曲片を直角に保持する。
【０００６】
尚、請求項１において、分離可能に形成とは、完全に切込まれた構成。弱化部（ミシン目や薄肉部等）を形成しておいて折曲片（２）の折曲げ時にその折曲片（２）または基板（１）からその弱化部（ミシン目や薄肉部等）が切離される構成を包含するものである。
【０００７】
構造においては、折目（ａ）で折曲片（２）を折曲可能に有する基板（１）と、その折目（ａ）の所望箇所を中断して基板（１）と折曲片（２）との相互間において、一方側から折目（ａ）の延長線（ａ’）を跨いで少なくとも基板（１）の厚みよりも少なくとも小さい延出量（Ｌ）をもって他方側に延出するように切込形成される掛止突片部（ｂ）とを備えていることである（請求項２）。
【０００８】
上記手段においては、折目（ａ）から折曲成形される折曲片（２）の戻り力に抗して折曲片（２）を直角に保持する請求項１記載の掛止力を、折目（２）部分に切込形成されて外部に突出しない掛止突片部（ｂ）で得ることができる（図４、図７、図８参照）。
【０００９】
そして、折目（ａ）から折曲片（２）を折曲可能に有する基板（１）と、その折目（ａ）の所望箇所を中断して基板（１）と折曲片（２）との相互間において、一方側から折目（ａ）の延長線（ａ’）を跨いで少なくとも基板（１）の厚みよりも小さい延出量（Ｌ）をもって他方側に延出するように切込形成される掛止突片部（ｂ）とを備え、前記基板（１）側から延出される前記掛止突片部（ｂ）の延出分離端面（ｂ’）の輪郭を、前記折目（ａ）から折曲されるその折曲片（２）側の分離端面（２’）に掛止する形状に、また前記折曲片（２）側から延出される前記掛止突片部の延出分離端面の輪郭を、折曲片（２）の折曲げ時に前記基板（１）側の分離端面に掛止する形状にしていると、最適なものである（請求項３）。
そして、前記掛止突片部（ｂ）の前記延長線（ａ’）からの延出量（Ｌ）を基板（１）厚の１／３〜１／２の寸法にしていると、好適なものである（請求項４）。
ここで、前記基板（１）厚の１／３〜１／２とは、段ボールの種類である各フルートで設定されるものではなく、実際に使用されている基板のその厚みに対しての割合である。
そして、請求項１〜４において、前記掛止突片（ｂ）は折曲片（２）の折曲範囲において間隔をおいて設ける。またその総合計長さは、折曲片（２）の折曲範囲における折目（ａ）の総合計長さよりも長いのが好ましいものである。
【００１０】
上記手段によれば、折目（ａ）から折曲成形される折曲片（２）の戻り力に抗して折曲片（２）を直角に保持するその掛止として、請求項３記載の掛止力の他、基板（１）側から延長線（ａ’）を跨いで延出する掛止突片部（ｂ）の延出分離端面（ｂ’）が折曲片（２）側の分離端面（２’）を押し潰してその反発で掛止するその掛止力や折曲片（２）側から同延長線（ａ’）を跨いで延出する掛止突片部の延出分離端面が基板（１）側の分離端面を押し潰して、その反発で掛止されるその掛止力を有効に作用させる（図１０（ｆ）参照）。
【発明の効果】
【００１１】
本発明は以上のように構成したから、下記の利点がある。
（請求項１）折曲片の折目部分に設けられて折曲片の折曲げ時に基板や折曲片から分離される掛止突片部の掛止力を利用するので、例えば折曲片の端部に掛止専用の突片を突設しておき、これを本体側に形成している掛止孔等に掛止して直角を保持する場合のように、折損や切損の原因となる突片等を用いることなく折曲片を折り曲げるだけで自動的にその折曲片を直角に保持する折り曲げ角度保持方法を提供できる。
また、掛止突片部の分離可能な手段として、前記のように弱化部を用いる場合にはその弱化部における切離部の微小な凹凸部が掛止時の摩擦抵抗を有効に引き出すので、より強い折り曲げ角度保持構造を構成できる。
（請求項２）また、その掛止突片部を切込形成していると、折曲片の折曲げ時の抵抗にならず、折曲片の折曲げ作業を楽にして折曲片を直角に保持する折り曲げ角度保持構造を構成できる。
しかも、折曲片を折曲げた段階で外部からその掛止突片部や切込端面等が突出しないので、仕切片間への収容物の箱詰の障害になったり、その最中に手指が引っ掛かったり、更には搬送中に障害物に引っ掛かって、所定の機能を阻害されるような虞れもない。
（請求項３）また、請求項２の掛止力に、基板側から延長線を跨いで延出する掛止突片部の延出分離端面が折曲片側の分離端面を押し潰して、その反発で掛止するその掛止力や折曲片側から同延長線を跨いで延出する掛止突片部の延出分離端面が基板側の分離端面に押し潰して、その反発で掛止するその掛止力が有効に作用するようになるので、より強固且つ確実な折り曲げ角度保持構造を構成できる。
【発明を実施するための最良の形態】
【００１２】
図面は本発明折曲片の折り曲げ角度保持方法及びその折り曲げ角度保持構造の複数の実施の形態を示している。
【実施例１】
【００１３】
図１〜図４は本発明折曲片の折り曲げ角度保持方法及びその折り曲げ角度保持構造の第１の実施の形態を示し、符号１は基板、２はその基板１に折曲可能に形成された折曲片である。
この実施の形態においては、基板１は函体（図示せず）内に敷設したり、横設される中仕切り板（後述では符号１を付して説明する）であり、紙（例えば段ボール）または、押し潰し力を加えるとそれに対して反発力を発揮する合成樹脂板で成形されている。
また折曲片２はその中仕切り板１から立ち上がる仕切片（後述では符号２を付して説明する）である。
【００１４】
仕切片２は図１、図３に示すように中仕切り板１に形成された折り部１１と、その折り部１１に連続する切込部２１で囲繞されており、同図において切込部２１の一長手部２１ａの丁度中間部に開孔されている孔３１から摘むことによって人為的に折曲可能に構成されている。
【００１５】
前記折り部１１は、同図１、図３に示すように、押し罫やミシン罫からなる折目ａと、その折目ａを中断して同折目ａの延長線ａ’を跨いで中仕切り板１側から仕切片２側に延出する掛止突片部ｂとを備えている。
【００１６】
前記掛止突片部ｂは、コの字状を呈してなり、適宜間隔をおいて中仕切り板１側から前記延長線ａ’を跨いで仕切片２側に延出し、折曲片２に対して分離可能に形成されている。
この実施の形態においては、掛止突片部ｂは切込形成されている。
この掛止突片部ｂの総合計長さは、折曲片２の折曲範囲における折目２の総合計長さよりも長い長さで確保されている。
【００１７】
その掛止突片部ｂの前記延長線ａ’を跨いで仕切片２側に延出するその延出量Ｌは、図１、図２に示すように少なくとも中仕切り板1の厚みよりも小さな寸法、好ましくは厚みの１／３〜１／２の寸法に設定されている。
【００１８】
斯様に構成された中仕切り板１から仕切片２を直角に折り曲げると、仕切片２側の分離端面２’が掛止突片部ｂの延出分離端面ｂ’と干渉し合いながらその延出分離端面ｂ’を乗り越えて、図４に示すように自動的に仕切片２側の分離端面２’が掛止突片部ｂの前記延出分離端面ｂ’近傍の面ｂ”を押し潰して、反発で掛止し、その各掛止力の総和で仕切片２を中仕切り板１に対して直角に保持することができる。
【実施例２】
【００１９】
図５〜図８は本発明折曲片の折り曲げ角度保持方法及びその折り曲げ角度保持構造の第２の実施の形態を示し、この実施の形態は、前記する中仕切り板１側から延出する掛止突片部ｂに、仕切片２側から延出する掛止突片部ｂを連続形成した掛止突片部群を折目ａを中断して間隔をおいて複数個設けた例を示している。
他の構成は前記する第１の実施の形態と同様であるため、同一符号を付して説明は省略する。
【００２０】
この実施の形態では、中仕切り板１から仕切片２を折り曲げると、中仕切り板１側から掛止突片部ｂを延出した箇所は、前記図７（前記図４）のように掛止し、仕切片２側から掛止突片部ｂを延出した箇所は、仕切片２側から延出される掛止突片部ｂの延出分離端面ｂ’が中仕切り板１側の分離端面１’と干渉し合いながらその分離端面１’を乗り越えて、図８に示すように掛止突片部ｂの延出分離端面ｂ’近傍の面ｂ”を押し潰し、その反発で前記面ｂ”に中仕切り板１側の分離端面１’を掛止する。
前記押し潰された部分の反発で掛止するその掛止力の総和で仕切片２を中仕切り板１に対して直角に保持することができる。
【実施例３】
【００２１】
図９は本発明折曲片の折り曲げ角度保持方法及びその折り曲げ角度保持構造の第２の実施の形態を示し、この実施の形態は、前記基板１を函体Ｂの側板（後述では符号１を付して説明する）、折曲片２をその側板１の上縁から水平（直角）に折曲形成される開閉用のフラップ（後述では符号２を付して説明する）とし、側板１側から延出する掛止突片部ｂに、フラップ２側から延出する掛止突片部ｂを連続形成した掛止突片部群を、折目ａを中断して間隔をおいて複数個設けた例を示している。
掛止間係については、前記する第２の実施の形態と同様であるため、説明は省略する。
【００２２】
図１０（ｅ）は、基板１側から延出する掛止突片部ｂの延出分離端面ｂ’の丁度中央部分に１／３程度の幅寸法をもって延長線ａ’に至らない程度の円弧状の凹部３を形成して、折曲片２側にその凹部３に入り込む凸部４を設けたものである。
【００２３】
図１０（ｆ）は、前記図１０（ｄ）の中央の折曲片２側から延出する掛止突片部ｂの延出分離端面ｂ’の輪郭を、折曲片２を折目ａから折曲した際、基板１側の分離端面１’を押し潰して掛止する形状に形成したものである。
この実施の形態では、前記掛止突片部ｂの輪郭を図示するように末広がりな逆向き台形状にして、その延出分離端面ｂ’の両側面部位ｂ’−１が折曲片２折曲げ時の基板１の分離端面１’を押し潰して掛止するようにして、その掛止力と、前記第１〜第３の実施の形態の掛止力との総和で折曲片２を基板１に対して直角に保持して、前記掛止突片部ｂの延出分離端面ｂ’における両側面部位ｂ’−１が折曲片２折曲げ時の基板１の分離端面１’に掛止するその反発を折曲片２を直角に保持する掛止力として有効に利用している。
この延出分離端面ｂ’はその側面部位が、折曲片２折曲げ時の基板１の分離端面１’を押し潰して、その押し潰しによる反発で掛止する輪郭を有するものであれば、図示する輪郭形状に限定されるものではない。
図面では、その一例として前記する掛止突片部群の一つの掛止突片部ｂの延出分離端面ｂ’の輪郭を折曲片２を折目ａから折曲した際、基板１側の分離端面１’を押し潰して掛止する形状にした場合を示している。
【００２４】
図１０（ａ）は、折目ａの所望箇所を中断して基板１と折曲片２との相互間において、一方側から他方側に折目ａの延長線ａ’を跨いで基板１の厚みよりも少なくとも小さな延出量Ｌをもって延出する掛止突片部ｂを間隔をおいて設けた掛止突片部の延出パターンを、図１０（ｂ）は、図１０（ａ）における折曲範囲の中間部に逆側に延出した掛止突片部ｂを設けた掛止突片部の延出パターンを、また図１０（ｃ）は、その掛止突片部ｂの向きを交互にした掛止突片部の延出パターンを、図１０（ｄ）は、前記第２、第３の実施の形態の掛止突片部群を間隔をおいて設けた掛止突片部の延出パターンを各々示しており、これら数種の延出パターンと前記図１０（ｅ）（ｆ）とを組み合わせて使用しても良いものである。
また、図１０（ａ）（ｂ）（ｃ）（ｄ）等においてその掛止突片部ｂの延出形状は前記するコの字状のみならず円弧状等でも任意なものである。
【００２５】
尚、本発明は折曲片の折り曲げ角度保持方法及び折り曲げ角度保持構造は、中仕切り板の仕切片や、函体の開閉用フラップに限定させるものではないこと言うまでもない。
【図面の簡単な説明】
【００２６】
【図１】第１の実施の形態である折曲対象である中仕切り板の平面図。
【図２】掛止突片部分の拡大断面図。
【図３】同中仕切り板の斜視図で、仕切片を折り曲げた状態を示す。
【図４】図３の（４）-（４）線拡大断面図。
【図５】第２の実施の形態の中仕切り板の要部の斜視図。
【図６】折り曲げられた仕切片部分の斜視図。
【図７】図６の（７）-（７）線拡大断面図。
【図８】同図６の（８）-（８）線拡大断面図。
【図９】第３の実施の形態である折曲対象である開閉用フラップを有する函体の斜視図。
【図１０】掛止突片部の各延出パターンを示す平面図。
【符号の説明】
【００２７】
１：基板（中仕切り板、函体の側板）        ２：折曲片（仕切片、フラップ）
ａ：折面                                ａ’：延長線
ｂ：掛止突片部                            Ｌ：延出量
ｂ’:延出分離端面
１’:分離端面（基板側の分離端面）        ２’:分離端面（折曲片側の分離端面）
ｂ”：面（掛止突片部の延出分離端面近傍の面）
ｂ’−１:掛止突片部の延出分離端面における両側面部位
【図１】
2005138881.tif 000003
【図２】
2005138881.tif 000004
【図３】
2005138881.tif 000005
【図４】
2005138881.tif 000006
【図５】
2005138881.tif 000007
【図６】
2005138881.tif 000008
【図７】
2005138881.tif 000009
【図８】
2005138881.tif 000010
【図９】
2005138881.tif 000011
【図１０】
2005138881.tif 000012